(57)【要約】【課題】  本発明は、鋼材および鋼管の磁気探傷機における検出器に係わり、特に検出素子保持枠の非検出材との摩擦接触面に非磁性体金属からなるシューを固着した構造の磁気探傷機検出器用センサーを提供する。【解決手段】  被検査材の漏洩磁束を検出する検出素子を保護する超硬金属材からなるシューを備え、指向性を一意に決定する検出素子形状およびこの検出素子を容易に多数実装可能であることを特徴とする磁気探傷機検出器用センサー。また、上記検出素子形状を角柱とした磁気探傷機検出器用センサー。【選択図】    図２
2005140633.tif 000002
【特許請求の範囲】
【請求項１】
被検査材の漏洩磁束を検出する検出素子を保護する超硬金属材からなるシューを備え、指向性を一意に決定する検出素子形状およびこの検出素子を容易に多数実装可能であることを特徴とする磁気探傷機検出器用センサー。
【請求項２】
請求項１に記載の検出素子形状を角柱としたことを特徴とする磁気探傷機検出器用センサー。
【発明の詳細な説明】
【技術分野】
【０００１】
本発明は、鋼材および鋼管の磁気探傷機における検出器に係わり、特に検出素子保持枠の非検出材との摩擦接触面に非磁性体金属からなるシューを固着した構造の磁気探傷機検出器用センサーに関するものである。
【背景技術】
【０００２】
従来、磁気探傷機における検出器については、実公昭６１−２９２８号公報（特許文献１）に開示されている。この特許文献１のような磁気探傷機の検出器は、図４および図５に示すようなものが知られている。図４は、磁気探傷機の原理を示すものであって、磁力線装置１１より発生する磁力線は下方の被検査材９の鋼材中を誘導され流される。そこで被検査材９にもし疵１２が存在するとその疵１２の付近に漏洩磁束が発生し、この漏洩磁束は検出器１０により検出される。
【０００３】
上記のように、被検査材中に疵がある場合に発生する漏洩磁束を検出するものであるから、その検出素子は被検査材の表面に対して極めて接近して配置し、かつ移送される検査材に対し常に間隔を一定に保つことが要求される。例えば、検出素子は普通被検査材に対し、約０．３〜０．６ｍｍほどの間隔に保たれる必要がある。そのため、従来技術では検出素子と被検査材との間に非磁性金属板、例えば、図５における超硬金属板１４をはさみ、この金属板に被検査材を接触し摺動しながら移送させることにより、検出素子と被検査材との間隔を一定に保っていた。
【０００４】
図５は、従来の磁気探傷機の要部構造を示す図であり、図５（ａ）は平面図、図５（ｂ）は正面図、図５（ｃ）は側面図である。この図５においてはインロウ部１５には、凹陥部１６を有するインロウ部１５に検査素子を当接するように組みつけを行い検査素子を超硬金属板１４で保護していた。なお、符号１３はセラミック材料のシューを示す。
【０００５】
また、疵による漏洩磁束方向には疵形状により異方性を有している。例えば、被検査材長手方向疵と周方向疵では漏洩磁束の向きが異なるものである。一方、疵を検出すべき円柱状検出素子にも指向性があるため、図６に示す従来の円柱状検出素子１７をインロウ部１５に組付ける場合、方向決定用凹部１９を基準に上記円柱状検出素子１７の取付方向を決定していた。すなわち、図６は、従来の円柱状検出素子を示す図である。なお、符号２０はリード線を示す。
【０００６】
上述したように、従来技術での検出素子は円柱状であるため検出器を実装時、円柱状検出素子１７が回転し意図している固定方向からずれ、所定の検出能力を発揮しない場合があると言う問題があった。また、従来技術では実装された円柱状検出素子１７は、運転中の振動等により固定位置がずれることによる検出能力の低下を防ぐため、円柱状検出素子１７を側方から強くねじで押し当てる必要があることから、非磁性金属、例えばアルミなどによる保護金属筒１８で被覆する必要があり構造が複雑である等の問題を有していた。      
【０００７】
また、磁気探傷機の検査性能の向上を図る場合、従来技術と同一の検出器に従来より多くの検出素子を実装することが求められることから、同一シュー上に複数の検出素子を組付けることが望まれるが、従来技術ではその組付け構造から、セラミック素材シュー１３には円柱状検出素子１７のみならず固定用凹陥部１６を穿孔する必要があり、固定用凹陥部１６のセラミック素材シュー１３における占有面積が大きいことから、同一シュー上に複数の検出素子を実装することが不可能であると言う問題があった。
【０００８】
【特許文献１】実公昭６１−２９２８号公報
【発明の開示】
【発明が解決しようとする課題】
【０００９】
本発明は、上記従来の問題を解消するものであって、検出素子の有する指向性を一意に決定する検出素子形状を備えるとともに、これを複数実装できる形状を持つ非磁性金属シューからなる磁気探傷機検出器用センサーを提供することにある。
【課題を解決するための手段】
【００１０】
本発明の課題を解決するための手段は、保護金属筒の不要な検出素子の形状、およびそれを実装する非磁性金属シューからなる磁気探傷機検出器用センサーである。すなわち、本発明は磁気探傷機の検出器の要部を構成する検出素子の形状を円柱から角柱とすることで、検出素子の組付けを従来と比べ大幅に簡易化すると共に、従来の保護金属筒を不要とし、なおかつ同一シュー内に複数の検出素子を実装することを可能とした。
【００１１】
その発明の要旨とするところは、
（１）被検査材の漏洩磁束を検出する検出素子を保護する超硬金属材からなるシューを備え、指向性を一意に決定する検出素子形状およびこの検出素子を容易に多数実装可能であることを特徴とする磁気探傷機検出器用センサー。
（２）前記（１）に記載の検出素子形状を角柱としたことを特徴とする磁気探傷機検出器用センサーである。
【発明の効果】
【００１２】
以上のように、本発明の角柱状検出素子およびシューは保護金属筒を必要とせず方向を一意に決定でき、なおかつ従来と同面積に複数の検出素子を実装できる形状であり、磁気探傷器全体の検査性能を向上させることが出来る。また、検出素子の構造が簡素となり組付け時間を著しく短縮できる等、優れた効果を有するものである。
【発明を実施するための最良の形態】
【００１３】
以下、本発明について図面に従って詳細に説明する。
図１は、本発明に係る磁気探傷機検出器用センサーでの検出素子を示す図である。この図に示すように、角柱状検出素子６は磁気感応性半導体を封入した樹脂であり、その側面の一面に封入された磁気感応性半導体の設置方向を示す方向決定用凹部７と、リード線８を有した形状をしている。
【００１４】
本発明の特徴は従来技術の図６における円筒状検出素子１７の形状を角柱状に変更した点、および発明した角柱状検出素子６は金属保護筒を有していない点にある。角柱状検出素子６では検出素子組付け時の組付け可能な検出素子方向は４方向に限定される。しかし、角柱状検出素子６には方向決定用凹部７を有するため一意に検出素子固定方向を決定することができる。また、円筒状検出素子１７では金属保護筒１８が必要であったが、角柱状検出素子６では運転中の振動により検出素子が回転することが皆無であるため、角柱状検出素子６を強固に固定する必要がなく金属保護筒を必要しない構造にすることを可能とした。
【００１５】
図２は、本発明に係る角柱状検出素子を実装するシューからなる磁気探傷機検出器用センサーを示す図である。図２（ａ）は平面図、図２（ｂ）は横側面図、図２（ｃ）はＡ−Ａ断面図である。シュー１は非磁性体金属、例えば超硬金属で出来ており、検出器にねじで固定させるための孔４およびねじの頭が納まる凹陥部３を有している。また、シュー１には角柱状検出素子６を装入するための角状凹陥部２が２つ設けられている。
【００１６】
この角状凹陥部２周囲には、角柱状検出素子６は従来の円柱状検出素子１７にくらべ耐衝撃性が増したことから従来技術での固定用凹陥部１６に相当する部位を必要としない構造を実現した。この点も本発明の特徴である。そのため、角状凹陥部２の占有面積が大きく従来では一つの検出素子しか納まらなかったものが、本発明により同一シュー内に２個実装を可能とすることで大幅な検出性能の向上がはかられた。
【００１７】
図３は、シューに角柱状検出素子を組付けた場合の概略図である。角状凹陥部２はその壁の厚さｔを所定の厚さ、すなわち、０．３〜０．６ｍｍとなるように穿孔されているため、角柱状検出素子６の頭部を角状凹陥部２に当接するように組みつけた時、被検査材と検出素子間の距離が所定の厚さで一定となるように設計されている。
【００１８】
この発明の特徴は上記のように検出素子の形状およびそれを実装するシューの形状にあるが、図示例に限定されるものではなく数々の変形例が可能である。まず、角柱状検出素子の形状は検出素子の指向性を一意に決定できるものであれば角柱状に限定されず、例えば６角柱状にすることが出来る。また、シュー内の実装検出素子の数も２つに限定されずより多い数でも良い。
【図面の簡単な説明】
【００１９】
【図１】本発明に係る磁気探傷機検出器用センサーでの検出素子を示す図である。
【図２】本発明に係る角柱状検出素子を実装するシューからなる磁気探傷機検出器用センサーを示す図である。
【図３】シューに角柱状検出素子を組付けた時の概略図である。
【図４】磁気探傷機の原理を示す図である。
【図５】従来の磁気探傷機の要部構造を示す図である。
【図６】従来の円柱状検出素子を示す図である。
【符号の説明】
【００２０】
１  シュー
２  角状凹陥部
３  凹陥部
４  孔
５  材料進入用テーパー面
６  角柱状検出素子
７  方向決定用凹部
８  リード線
９  被検査材
１０  検出器
１１  磁力線装置
１２  疵
１３  セラミック材料のシュー
１４  超硬金属板
１５  インロウ部
１６  固定用凹陥部
１７  円柱状検出素子
１８  保護金属筒
１９  方向決定用凹部
２０  リード線
特許出願人  山陽特殊製鋼株式会社
代理人    弁理士    椎  名    彊
【図１】
2005140633.tif 000003
【図２】
2005140633.tif 000004
【図３】
2005140633.tif 000005
【図４】
2005140633.tif 000006
【図５】
2005140633.tif 000007
【図６】
2005140633.tif 000008